(57)【特許請求の範囲】
【請求項１】
遊技球が入賞可能な入賞口と、
前記入賞口に入賞した遊技球の通路である遊技球通路と、
前記遊技球通路に設けられ、遊技球が通過可能な通過口を有し、前記通過口を通過する遊技球を検知する入賞センサと、
を備える遊技機であって、
前記遊技球通路のうち、前記入賞センサよりも上流側に、正常な遊技球は通過させるが、所定の大きさ以上の遊技球の通過を禁止する不正防止部を備え、
前記不正防止部は、内径の大きさが前記通過口の内径以下である遊技球の通過孔を有し、
前記通過孔は、下流にゆくほど内径が小さくなるテーパー状の形状を有することを特徴とする遊技機。
【請求項２】
遊技球が入賞可能な入賞口と、
前記入賞口に入賞した遊技球の通路である遊技球通路と、
前記遊技球通路に設けられ、遊技球が通過可能な通過口を有し、前記通過口を通過する遊技球を検知する入賞センサと、
を備える遊技機であって、
前記遊技球通路のうち、前記入賞センサよりも上流側に、正常な遊技球は通過させるが、所定の大きさ以上の遊技球の通過を禁止する不正防止部を備え、
前記不正防止部は、内径の大きさが前記通過口の内径以下である遊技球の通過孔を有し、
前記遊技球通路は湾曲部を有し、
前記不正防止部は、前記湾曲部に設けられていることを特徴とする遊技機。
【請求項３】
遊技球が入賞可能な入賞口と、
前記入賞口に入賞した遊技球の通路である遊技球通路と、
前記遊技球通路に設けられ、遊技球が通過可能な通過口を有し、前記通過口を通過する遊技球を検知する入賞センサと、
を備える遊技機であって、
前記遊技球通路のうち、前記入賞センサよりも上流側に、正常な遊技球は通過させるが、所定の大きさ以上の遊技球の通過を禁止する不正防止部を備え、
前記遊技球通路は切欠部を有し、
前記不正防止部は前記切欠部に挿入され、前記切欠部に挿入された前記不正防止部と、前記遊技球通路の内壁との間に、内径の大きさが前記通過口の内径以下である遊技球の通過孔が形成されることを特徴とする遊技機。
【発明の詳細な説明】
【技術分野】
【０００１】
本発明は、パチンコ遊技機等の遊技機に関する。
【背景技術】
【０００２】
一般に、遊技機は、遊技球が入賞可能な入賞口と、入賞口に入賞した遊技球の通路である遊技球通路と、遊技球通路に設けられ、入賞した遊技球を検知する入賞センサを備えている。入賞センサは、遊技球が通過可能な通過口を有し、その通過口を通過する遊技球を検知する。入賞センサが遊技球を検知すると、所定数の賞球が払い出される。
【先行技術文献】
【特許文献】
【０００３】
【特許文献１】特開２００６−１７４８６６号公報
【発明の概要】
【発明が解決しようとする課題】
【０００４】
近年、上記のような遊技機に対し、以下のような不正行為が行われている。まず、通常の遊技球よりも直径が大きい遊技球（以下、デカ玉とする）を磁石で誘導し、入賞口へ入れる。このとき、デカ玉は通常の遊技球よりも直径が大きいため、入賞センサの通過口を通過できず、入賞センサに引っかかった状態となる。この状態で、デカ玉に向けて電磁波を照射する。すると、入賞センサに引っかかったデカ玉がアンテナの役割を果たし、電磁波が入賞センサに強力に作用する。入賞センサは、電磁波の影響で遊技球が通過口を通過したと誤認識してしまい、賞球が払い出されてしまう。
【０００５】
本発明は以上の点に鑑みなされたものであり、デカ玉を用いた不正行為を防止できる遊技機を提供することを目的とする。
【課題を解決するための手段】
【０００６】
本発明の遊技機は、遊技球が入賞可能な入賞口と、前記入賞口に入賞した遊技球の通路である遊技球通路と、前記遊技球通路に設けられ、遊技球が通過可能な通過口を有し、前記通過口を通過する遊技球を検知する入賞センサと、を備える遊技機であって、前記遊技球通路のうち、前記入賞センサよりも上流側に、正常な遊技球は通過させるが、所定の大きさ以上の遊技球の通過を禁止する不正防止部を備えることを特徴とする。
【０００７】
本発明の遊技機は、遊技球通路のうち、入賞センサよりも上流側に、正常な遊技球は通過させるが、所定の大きさ以上の遊技球（いわゆるデカ玉）の通過を禁止する不正防止部を備える。そのため、入賞センサの通過口で詰まるようなデカ玉を入賞口へ入賞させると、そのデカ玉は、入賞センサの通過口へ到達する前に、不正防止部で止められ、入賞センサに到達しない。その結果、デカ玉を利用した不正行為（入賞センサに引っかかったデカ玉に電磁波を照射し、入賞センサの誤認識を生じさせる）を防止できる。
【０００８】
不正防止部は、通常の遊技球は通過させるが、デカ玉は引っかかる大きさの通過孔を有する。この通過孔の内径は、入賞センサの通過口の内径以下である。こうすることにより、入賞センサの通過口に詰まるデカ玉を、確実に不正防止部で止めることができる。通過孔としては、例えば、遊技球通路の下流にゆくほど内径が小さくなるテーパー状の形状を有するものが挙げられる。テーパー状とすることにより、遊技球の流れがスムーズになる。通過孔の断面形状は特に限定されないが、例えば、円形であることが好ましい。円形である場合、球面の一部を削り取った遊技球（不正の目的で加工された遊技球）の通過を防止できる。
【０００９】
不正防止部は、遊技球通路の一部（遊技球通路と一体化されたもの）であってもよいし、遊技球通路に、別の部材を取り付けたものであってもよい。別の部材である場合、例えば、遊技球通路の一部を切り欠き、そこに不正防止部を取り付けることができる。また、遊技球通路の内部に、不正防止部を挿入することもできる。また、遊技球通路の一部である場合、遊技球通路の一部の内径を小さくしたり、遊技球通路の内面に突起を形成したものを用いることができる。
【００１０】
不正防止部の位置は特に限定されないが、例えば、入賞口の入口に備えることができる。この場合、不正防止部で止まっているデカ玉を入賞口から視認することができる。また、遊技球通路が湾曲部を有し、不正防止部は、その湾曲部に設けることができる。通常、湾曲部では遊技球の流れが悪くなり易いが、湾曲部に不正防止部を設け、その部分での遊技球通路の幅を適正化することで、遊技球の流れをよくすることができる。
【００１１】
遊技球通路のうち、不正防止部が設けられた部分、又は、不正防止部よりも上流側の部分は、遊技球通路の残りの部分から取り外し可能であることが好ましい。こうすることにより、不正防止部で止められたデカ玉を容易に取り出すことができる。
【００１２】
本発明の遊技機は、不正防止部により通過を禁止された遊技球が遊技機の外部から視認できるように、遊技機における所定の部分が透明な部材から成ることが好ましい。こうすることにより、不正防止部により通過を禁止された遊技球を外部から容易に視認することができる。
【００１３】
本発明の遊技機は、不正防止部により通過を禁止された遊技球を検出する検出手段を備えることが好ましい。こうすることにより、デカ玉が使用されたことを容易に知ることができる。
【００１４】
前記上流側とは、遊技球の流れにおける上流側を意味する。例えば、遊技球通路が高低差を有し、高い方から低い方に遊技球が流れる場合、高い方が上流側となる。
【図面の簡単な説明】
【００１５】
【図１】遊技機１の正面図である。
【図２】遊技盤７のうち、入賞口４１付近を背面側から見た図である。
【図３】（ａ）は入賞センサ４５の平面図であり、（ｂ）は不正防止部材４７の平面図である。
【図４】遊技盤７のうち、入賞口４１付近を背面側から見た図である。
【図５】遊技盤７のうち、入賞口４１付近を背面側から見た図である。
【図６】遊技盤７のうち、入賞口４１付近を背面側から見た図である。
【図７】遊技盤７のうち、入賞口４１付近を背面側から見た図である。
【図８】遊技球通路４３のうち、突起４９が形成された付近の斜視図である。
【図９】（ａ）は、遊技球通路４３のうち、突起４９が形成された付近を上方から見た図であり、（ｂ）は、遊技球通路４３のうち、突起４９が形成された付近の側断面図である。
【図１０】（ａ）は、不正防止部材５１の斜視図であり、（ｂ）は、不正防止部材５１を遊技球通路４３に取り付けた状態を表す斜視図であり、 (ｃ)は、不正防止部材５１を取り外したときの遊技球通路４３を表す斜視図である。
【図１１】（ａ）は、不正防止部材６５の一部を遊技球通路４３から取り外した状態を表す斜視図であり、図１１（ｂ）は、不正防止部材６５を完全に遊技球通路４３に取り付けた状態を表す斜視図である。
【図１２】（ａ）は、不正防止部材５１の斜視図であり、（ｂ）は、不正防止部材５１を遊技球通路４３に取り付けた状態を表す斜視図であり、 (ｃ)は、不正防止部材５１を遊技球通路４３から取り外した状態を表す斜視図である。
【図１３】（ａ）は、不正防止部材８２を表す斜視図であり、（ｂ）は、不正防止部材８２の一部を遊技球通路４３から取り外した状態を表す斜視図であり、（ｃ）は、不正防止部材８２の全体を取り外したときの遊技球通路４３を表す斜視図であり、（ｄ）は、不正防止部材６５を完全に遊技球通路４３に取り付けた状態を表す斜視図である。
【発明を実施するための形態】
【００１６】
本発明の実施形態を説明する。
（第１の実施形態）
１．遊技機１の全体構成
遊技機１の全体構成を図１に基づいて説明する。図１は、遊技機１の正面図である。  遊技機１は、図示しない遊技場に来場した遊技者にパチンコ遊技を提供するものであって、図示しない遊技島に取り付けられる外枠３と、外枠３に開閉可能に取り付けられた内枠５と、内枠５に取り付けられ、遊技者に対面して配置された遊技盤７と、遊技者が遊技行為を行うために遊技盤７上に遊技球を発射するためのハンドル９と、遊技盤７における遊技行為の結果として提供される賞品、ここでは遊技球（賞品として払い出される遊技球を賞品球と言う。）を貯留する上受け皿１１と、上受け皿１１から排出される遊技球を受ける下受け皿１３を備えている。
【００１７】
遊技者に対面する遊技盤７は、遊技者から見える位置に、遊技者に興趣のある図柄を提供する図柄表示装置２１と、電動チューリップ１９とを備える。電動チューリップ１９は、第１の始動口１７と、第２の始動口１８とを備えている。第１の始動口１７、第２の始動口１８に遊技球が入賞すると、特別図柄遊技用の特別図柄始動信号が出力され、特別図柄遊技が行われる。遊技盤７は、特別図柄遊技の結果を表示する第１特別図柄表示装置３１及び第２特別図柄表示装置３２を備える。
【００１８】
また、遊技盤７は、大入賞口２５と、大入賞口２５を開放できる特別電動役物２４とを備える。大入賞口２５が開放されると入賞が可能になり、その入賞により賞品球が提供される。また、遊技盤７は、遊技球が通過すると、普通図柄遊技用の普通図柄始動信号を出力する機能を有する普通図柄始動ゲート３５と、普通図柄遊技の結果を表示する普通図柄表示装置３７と、普通図柄遊技の保留数を表示する普通図柄記憶表示装置３９とを備えている。上述した普通図柄記憶表示装置３９は４個のランプを備え、その４個のランプのうち、保留数に対応する数のランプだけが点灯するように構成されている。また、遊技盤７には、変動時間短縮機能（以降、時短と称す）が作動中（即ち、時短状態）かを表示する時短表示ＬＥＤ４２が設置されている。
【００１９】
また、遊技盤７は、遊技球が入賞可能な一対の入賞口４１、４１を備えている。この入賞口４１、４１にはそれぞれ、遊技球の通路である遊技球通路４３、４３が接続している。なお、入賞口４１及び遊技球通路４３の構成については、後述する。遊技球が入賞口４１に入賞し、後述する入賞センサ４５で検出されると、所定数の遊技球が払い出される。
【００２０】
また、遊技機１は、遊技機１の上記各構成を制御し、後述する処理を実行する主制御基板及び図柄制御基板（ともに図示略）等を備えている。
また、遊技盤７は、透明な部材から成る窓部４４を備えている。この窓部４４は、遊技盤７の一部を切り取り、そこに透明な素材（例えば透明樹脂、透明なガラス）から成る板を取り付けたものである。窓部４４は、遊技機１の正面側から、後述する不正防止部材４７が視認可能となる位置に設けられている。
【００２１】
２．入賞口４１及び遊技球通路４３の周囲の構成
入賞口４１及び遊技球通路４３の周囲の構成を図２及び図３に基づいて説明する。図２は、遊技盤７のうち、入賞口４１付近を背面側から見た図であり、図３（ａ）は後述する入賞センサ４５の平面図であり、図３（ｂ）は後述する不正防止部材４７の平面図である。
【００２２】
図２に示すように、入賞口４１には、遊技盤７の裏側に設けられた遊技球通路４３が接続している。遊技球通路４３は、断面が円形である中空の筒である。入賞口４１に入賞した遊技球は、遊技球通路４３を通り、下方の図示しないアウト口に送られる。遊技球通路４３は、湾曲部４３ａ、４３ｂにおいてそれぞれ湾曲し、クランク状の形状を有している。遊技球通路４３のうち、湾曲部４３ｂよりも下流（下側）の部分は、ほぼ鉛直に配置されている。
【００２３】
遊技球通路４３のうち、湾曲部４３ｂよりも下流の部分には、入賞センサ４５が取り付けられている。入賞センサ４５は、図３（ａ）に示すように、大きさが正常な遊技球が通過可能な、断面が円形の通過口４５ａを備えており、その通過口４５ａの中心と遊技球通路４３の中心とが同心となるように、遊技球通路４３に取り付けられている。よって、正常な大きさの遊技球は、遊技球通路４３の上流側から、通過口４５ａを通過し、遊技球通路４３の下流側へと流れる。入賞センサ４５は、周知の機構により、通過口４５ａを通過する遊技球を検知することができる。なお、入賞センサ４５で遊技球を検知したときの信号は、図示しない主制御基板に送られる。信号を受信した主制御基板は、図示しない賞球払出基板を用いて、所定数の賞球を払い出す。
【００２４】
また、遊技球通路４３のうち、湾曲部４３ｂと入賞センサ４５との間には、不正防止部材４７が取り付けられている。不正防止部材４７は、断面が円形の通過孔４７ａを備えた板状の部材である。不正防止部材４７は、通過孔４７ａの中心と遊技球通路４３の中心とが同心となるように、遊技球通路４３に取り付けられている。通過孔４７ａの内径は、正常な大きさの遊技球は通過させることができる大きさであるが、通過口４５ａの大きさよりは小さい。なお、通過孔４７ａの内径は、通過口４５ａの内径と同一であってもよい。
【００２５】
３．遊技機１が奏する効果
遊技機１は、遊技球通路４３において、入賞センサ４５よりも上流側に、不正防止部材４７を備えている。この不正防止部材４７の通過孔４７ａにおける内径は、入賞センサ４５の通過口４５ａにおける内径より小さいので、通過口４５ａで詰まるような、通常の遊技球よりも直径が大きい遊技球（デカ玉）を入賞口４１へ入賞させると、そのデカ玉は、入賞センサ４５の通過口４５ａへ到達する前に、不正防止部材４７の通過孔４７ａで引っかかる。その結果、デカ玉が入賞センサ４５に到達しないので、デカ玉を利用した不正行為（入賞センサ４５に引っかかったデカ玉に電磁波を照射し、入賞センサ４５の誤認識を生じさせる）を防止できる。
【００２６】
なお、通過孔４７ａの内径が通過口４５ａの内径と同一であっても、上記の効果を奏することができる。
（第２の実施形態）
遊技機１は、図４に示すようなものであってもよい。図４は、遊技盤７のうち、入賞口４１付近を背面側から見た図である。なお、以下では、前記第１の実施形態と同様の部分は、記載を省略乃至簡略化する。
【００２７】
遊技球通路４３のうち、湾曲部４３ｂと入賞センサ４５との間の部分である不正防止部４３ｃは、下流にゆくほど内径が徐々に小さくなるテーパー状の形状を有する。不正防止部４３ｃの最も下流側の部分（すなわち入賞センサ４５の直前）における内径は、通過口４５ａの内径と同一である。なお、不正防止部４３ｃの最も下流側の部分における内径は、正常な大きさの遊技球は通過させることができる大きさであって、通過口４５ａの内径よりも小さくてもよい。
【００２８】
不正防止部４３ｃの断面形状は、いずれの断面で見ても円形である。なお、不正防止部４３ｃの断面形状は、後述する効果を奏することができれば、必ずしも円形でなくてもよい。
【００２９】
不正防止部４３ｃの内径は、上述したように、下流にゆくほど徐々に小さくなり、入賞センサ４５の直前では、通過口４５ａの内径と同一になるので、デカ玉を入賞口４１へ入賞させると、そのデカ玉は、入賞センサ４５の通過口４５ａへ到達する前に、不正防止部４３ｃのどこかで引っかかる。その結果、デカ玉が入賞センサ４５に到達しないので、デカ玉を利用した不正行為（入賞センサ４５に引っかかったデカ玉に電磁波を照射し、入賞センサ４５の誤認識を生じさせる）を防止できる。
【００３０】
また、不正防止部４３ｃの形状がテーパー状であることにより、遊技球通路４３における遊技球の流れが一層スムーズになる。
なお、上記の効果は、不正防止部４３ｃの最も下流側の部分における内径が、正常な大きさの遊技球は通過させることができる大きさであり、且つ通過口４５ａの内径よりも小さい場合でも奏することができる。
（第３の実施形態）
遊技機１は、図５に示すようなものであってもよい。図５は、遊技盤７のうち、入賞口４１付近を背面側から見た図である。なお、以下では、前記第１の実施形態と同様の部分は、記載を省略乃至簡略化する。
【００３１】
遊技球通路４３は、湾曲部４３ｂと入賞センサ４５との間において、内径がその周囲に比べて局所的に小さくなっている不正防止部４３ｄを備えている。不正防止部４３ｄの内径は、正常な大きさの遊技球は通過させることができる大きさであるが、通過口４５ａよりは小さい。なお、不正防止部４３ｄの断面形状は円形であり、遊技球通路４３と一体に形成されている。
【００３２】
本実施形態の遊技機１は、遊技球通路４３において、入賞センサ４５よりも上流側に、不正防止部４３ｄを備えている。この不正防止部４３ｄの内径は、入賞センサ４５の通過口４５ａにおける内径より小さいので、デカ玉を入賞口４１へ入賞させると、そのデカ玉は、入賞センサ４５の通過口４５ａへ到達する前に、不正防止部４３ｄで引っかかる。その結果、デカ玉が入賞センサ４５に到達しないので、デカ玉を利用した不正行為（入賞センサ４５に引っかかったデカ玉に電磁波を照射し、入賞センサ４５の誤認識を生じさせる）を防止できる。
（第４の実施形態）
遊技機１は、図６に示すようなものであってもよい。図６は、遊技盤７のうち、入賞口４１付近を背面側から見た図である。なお、以下では、前記第１の実施形態と同様の部分は、記載を省略乃至簡略化する。
【００３３】
遊技球通路４３は、湾曲部（不正防止部）４３ａにおいて、内径ｄ1がその周囲より小さくなっている。内径ｄ1は、正常な大きさの遊技球は通過させることができる大きさであるが、通過口４５ａよりは小さい。なお、湾曲部４３ａにおける断面形状は円形である。
【００３４】
本実施形態の遊技機１では、遊技球通路４３において、入賞センサ４５よりも上流側である湾曲部４３ａの内径ｄ1が、入賞センサ４５の通過口４５ａにおける内径より小さいので、デカ玉を入賞口４１へ入賞させると、そのデカ玉は、入賞センサ４５の通過口４５ａへ到達する前に、湾曲部４３ａで引っかかる。その結果、デカ玉が入賞センサ４５に到達しないので、デカ玉を利用した不正行為（入賞センサ４５に引っかかったデカ玉に電磁波を照射し、入賞センサ４５の誤認識を生じさせる）を防止できる。
（第５の実施形態）
遊技機１は、図７〜図９に示すようなものであってもよい。図７は、遊技盤７のうち、入賞口４１付近を背面側から見た図である。図８は、遊技球通路４３のうち、後述する突起４９が形成された付近の斜視図である。図９（ａ）は、遊技球通路４３のうち、後述する突起４９が形成された付近を上方から見た図であり、図９（ｂ）は、遊技球通路４３のうち、後述する突起４９が形成された付近の側断面図である。なお、以下では、前記第１の実施形態と同様の部分は、記載を省略乃至簡略化する。
【００３５】
遊技球通路４３の内壁には、湾曲部４３ａと入賞口４１との間において、内側に突出する複数の突起４９が形成されている。突起４９は、遊技球通路４３と一体に形成されている。突起４９は、遊技球通路４３の内壁上の鉛直線Ｌ1に沿って配列されているとともに、その鉛直線Ｌ１と対向する、遊技球通路４３の内壁上の鉛直線Ｌ2に沿っても配列されている（図８参照）。また、鉛直線Ｌ1に沿った突起４９と、鉛直線Ｌ2に沿った突起４９とは、上下方向における位置が交互に並ぶように配置されている。すなわち、鉛直線Ｌ2に沿った突起４９の上下方向における位置は、鉛直線Ｌ1に沿った突起４９同士の間となる。
【００３６】
複数の突起４９の高さは、正常な大きさの遊技球は通過させることができるが、複数の突起４９が形成された部分における遊技球通路４３の内径が実質的に、通過口４５ａより小さくなる（通過口４５ａを通過できる最大限度の遊技球を通過させない）ように設定されている。
【００３７】
本実施形態の遊技機１は、遊技球通路４３において、入賞センサ４５よりも上流側に、複数の突起４９が形成されている部分（不正防止部）を備えている。この部分における実質的な内径は、入賞センサ４５の通過口４５ａにおける内径より小さいので、デカ玉を入賞口４１へ入賞させると、そのデカ玉は、入賞センサ４５の通過口４５ａへ到達する前に、複数の突起４９が形成されている部分で引っかかる。その結果、デカ玉が入賞センサ４５に到達しないので、デカ玉を利用した不正行為（入賞センサ４５に引っかかったデカ玉に電磁波を照射し、入賞センサ４５の誤認識を生じさせる）を防止できる。
【００３８】
また、複数の突起４９があるため、遊技球が落下する速度を減少させることができる。そのため、複数の突起４９が形成されている部分をデカ玉が勢いで通過してしまうことを防止できる。
（第６の実施形態）
遊技機１は、図１０に示すようなものであってもよい。図１０（ａ）は、後述する不正防止部材５１の斜視図であり、図１０（ｂ）は、不正防止部材５１を遊技球通路４３に取り付けた状態を表す斜視図であり、図１０(ｃ)は、不正防止部材５１を取り外したときの遊技球通路４３を表す斜視図である。なお、以下では、前記第１の実施形態と同様の部分は、記載を省略乃至簡略化する。
【００３９】
遊技球通路４３のうち、湾曲部４３ｂと入賞センサ４５との間の部分には、図１０（ｃ）に示すように、所定の長さにわたって遊技球通路４３が切り欠かれた切欠部５３が形成されている。この切欠部５３には、通常の状態では、図１０（ａ）、（ｂ）に示す不正防止部材５１が挿入されている。不正防止部材５１は、基板５５と、基板５５の一方の面に重ねて立設された３枚の板状部材である横板５７、５９、６１から構成される。横板５７、５９、６１には、それらを貫通する、断面が円形の通過孔６３が形成されている。通過孔６３の内径は、正常な大きさの遊技球は通過させることができる大きさであるが、入賞センサ４５の通過口４５ａよりは小さい。
【００４０】
不正防止部材５１を遊技球通路４３に取り付けるときは、図１０（ｂ）に示すように、横板５７、５９、６１を切欠部５３に挿入する。このとき、不正防止部材５１の通過孔６３と、遊技球通路４３とが同心となるようにする。不正防止部材５１は、横板５７、５９、６１を切欠部５３に挿入した状態で、基板５５を遊技機１内部の図示しない支持板にねじ止めすることで固定される。
【００４１】
本実施形態の遊技機１は、遊技球通路４３において、入賞センサ４５よりも上流側に、不正防止部材５１を備えている。不正防止部材５１の通過孔６３における内径は、入賞センサ４５の通過口４５ａにおける内径より小さいので、デカ玉を入賞口４１へ入賞させると、そのデカ玉は、入賞センサ４５の通過口４５ａへ到達する前に、不正防止部材５１の通過孔６３で引っかかる。その結果、デカ玉が入賞センサ４５に到達しないので、デカ玉を利用した不正行為（入賞センサ４５に引っかかったデカ玉に電磁波を照射し、入賞センサ４５の誤認識を生じさせる）を防止できる。
【００４２】
また、不正防止部材５１は、基板５５におけるネジ止めを外し、横板５７、５９、６１を切欠部５３から引き抜けば、遊技球通路４３から取り外すことができる。不正防止部材５１の通過孔６３にデカ玉が引っかかったときは、上記のように不正防止部材５１を遊技球通路４３から取り外せば、遊技球通路４３の切欠部５３からデカ玉を取り出すことができる。
（第７の実施形態）
遊技機１は、図１１に示すようなものであってもよい。図１１（ａ）は、後述する不正防止部材６５の一部を遊技球通路４３から取り外した状態を表す斜視図であり、図１１（ｂ）は、不正防止部材６５の全体を遊技球通路４３に取り付けた状態を表す斜視図である。なお、以下では、前記第１の実施形態と同様の部分は、記載を省略乃至簡略化する。
【００４３】
遊技球通路４３のうち、湾曲部４３ｂと入賞センサ４５との間の部分には、図１１（ａ）に示すように、遊技球通路４３が切り欠かれた切欠部６７が形成されている。この切欠部６７は、その上下方向における中央では全周にわたって切りかかれており、その上下の部分では、一方の半周のみにおいて切り欠かれている。
【００４４】
切欠部６７には、不正防止部材６５が取り付けられる。不正防止部材６５は、基板６９と、基板６９の一方の面に、所定の間隔を空けて平行に立設された横板７１、７３と、遊技球通路４３に取り付けられた横板７５とから構成される。横板７５は、それを上下に貫通する通過孔７７を備えており、その通過孔７７と遊技球通路４３とが同心となるように、切欠部６７の中央部（全周にわたって切りかかれている部分）に挿入されている。また、横板７１、７３の先端にはそれぞれ、半円状の切欠７１ａ、７３ａが形成されている。
【００４５】
不正防止部材６５は、横板７１、７３の間に横板７５を差し込み、また、横板７１、７３の先端部分を、切欠部６７のうち、半周だけ切り欠かれている部分に挿入する。すると、横板７１、７３の半円状の切欠７１ａ、７３ａと、切欠部６７において半周だけ残っている部分とが合わさって、断面が円形の通過孔７９、７９（一方は切欠７１ａにより形成されるものであり、他方は切欠７３ａにより形成されるもの）が形成される。よって、遊技球通路４３内を流れる遊技球は、通過孔７７及び通過孔７９を通過することになる。通過孔７７、７９の内径は、いずれも、正常な大きさの遊技球は通過させることができる大きさであるが、入賞センサ４５の通過口４５ａよりは小さい。
【００４６】
不正防止部材６５のうち、横板７５を除く部分は、横板７１、７３を切欠部６７に挿入した状態で、基板６９を遊技機１内部の図示しない支持板にねじ止めすることで固定される。
【００４７】
本実施形態の遊技機１は、遊技球通路４３において、入賞センサ４５よりも上流側に、不正防止部材６５を備えている。不正防止部材６５の通過孔７７、７９における内径は、入賞センサ４５の通過口４５ａにおける内径より小さいので、デカ玉を入賞口４１へ入賞させると、そのデカ玉は、入賞センサ４５の通過口４５ａへ到達する前に、不正防止部材６５の通過孔７７、７９で引っかかる。その結果、デカ玉が入賞センサ４５に到達しないので、デカ玉を利用した不正行為（入賞センサ４５に引っかかったデカ玉に電磁波を照射し、入賞センサ４５の誤認識を生じさせる）を防止できる。
【００４８】
また、不正防止部材６５は、基板６９におけるネジ止めを外し、横板７１、７３を切欠部６７から引き抜けば、遊技球通路４３から取り外すことができる。不正防止部材６５の通過孔７７、７９にデカ玉が引っかかったときは、上記のように不正防止部材６５を遊技球通路４３から取り外せば、遊技球通路４３の切欠部６７からデカ玉を取り出すことができる。
（第８の実施形態）
遊技機１は、図１２に示すようなものであってもよい。図１２（ａ）は、後述する不正防止部材５１の斜視図であり、図１２（ｂ）は、不正防止部材５１を遊技球通路４３に取り付けた状態を表す斜視図であり、図１２(ｃ)は、不正防止部材５１を遊技球通路４３から取り外した状態を表す斜視図である。
【００４９】
本実施形態の遊技機１は、基本的には前記第６の実施形態と同様であるが、不正防止部材５１がスライド動作を行う点で相違する。以下では、この相違点を中心に説明し、前記第６の実施形態と同様の部分の説明は省略乃至簡略化する。
【００５０】
不正防止部材５１の基板５５は、遊技機１内部の図示しない支持板に固定された、一対のレール部材８１に、スライド可能に保持されている。不正防止部材５１をレール部材８１における一方の側にスライドさせると、図１２（ｂ）に示すように、不正防止部材５１の横板５７、５９、６１が遊技球通路４３切欠部５３に挿入される。このとき、不正防止部材５１の通過孔６３と、遊技球通路４３とが同心となる。この状態が、不正防止部材５１が遊技球通路４３に取り付けられた状態である。なお、通過孔６３の内径は、正常な大きさの遊技球は通過させることができる大きさであるが、入賞センサ４５の通過口４５ａよりは小さい。
【００５１】
一方、不正防止部材５１をレール部材８１における反対側にスライドさせると、図１２（ｃ）に示すように、不正防止部材５１は遊技球通路４３から取り外された状態となる。
本実施形態の遊技機１は、遊技球通路４３において、入賞センサ４５よりも上流側に、不正防止部材５１を備えている。不正防止部材５１の通過孔６３における内径は、入賞センサ４５の通過口４５ａにおける内径より小さいので、デカ玉を入賞口４１へ入賞させると、そのデカ玉は、入賞センサ４５の通過口４５ａへ到達する前に、不正防止部材５１の通過孔６３で引っかかる。その結果、デカ玉が入賞センサ４５に到達しないので、デカ玉を利用した不正行為（入賞センサ４５に引っかかったデカ玉に電磁波を照射し、入賞センサ４５の誤認識を生じさせる）を防止できる。
【００５２】
また、不正防止部材５１は、レール部材８１に沿ってスライドさせるだけで、遊技球通路４３から取り外すことができる。不正防止部材５１の通過孔６３にデカ玉が引っかかったときは、上記のように不正防止部材５１を遊技球通路４３から取り外せば、遊技球通路４３の切欠部５３からデカ玉を取り出すことができる。
（第９の実施形態）
遊技機１は、図１３に示すようなものであってもよい。図１３（ａ）は、後述する不正防止部材８２を表す斜視図であり、図１３（ｂ）は、不正防止部材８２の一部を遊技球通路４３から取り外した状態を表す斜視図であり、図１３（ｃ）は、不正防止部材８２の全体を取り外したときの遊技球通路４３を表す斜視図であり、図１３（ｄ）は、不正防止部材８２を完全に遊技球通路４３に取り付けた状態を表す斜視図である。なお、以下では、前記第１の実施形態と同様の部分は、記載を省略乃至簡略化する。
【００５３】
遊技球通路４３のうち、湾曲部４３ｂと入賞センサ４５との間の部分は、図１３（ｃ）に示すように、遊技球通路４３が切り欠かれた切欠部６７が形成されている。この切欠部６７は、その上下方向における中央では全周にわたって切りかかれており、その上下の部分では、一方の半周のみにおいて切り欠かれている。
【００５４】
切欠部６７には、不正防止部材８２が取り付けられる。不正防止部材８２は、基板８５と、基板８５の一方の面に、所定の間隔を空けて立設された横板８７、８９と、遊技球通路４３に取り付けられた横板９１とから構成される。横板９１は、それを上下に貫通する通過孔９３を備えており、その通過孔９３と遊技球通路４３とが同心となるように、切欠部６７の中央部（全周にわたって切りかかれている部分）に挿入されている。また、横板８７、８９における一方の側面にはそれぞれ、半円状の切欠８７ａ、８９ａが形成されている。
【００５５】
基板８５は、遊技機１内部の図示しない支持板に固定された、一対のレール部材８３に、スライド可能に保持されている。不正防止部材８２をレール部材８３における一方の側にスライドさせると、図１３（ｄ）に示すように、横板８７、８９が切欠部６７のうち、半周だけ切り欠かれている部分に挿入され、また、横板８７、８９の間に横板９１が挿入される。すると、横板８７、８９の半円状の切欠８７ａ、８９ａと、切欠部６７において半周だけ残っている部分とが合わさって、断面が円形の通過孔９５、９５が形成される。よって、遊技球通路４３内を流れる遊技球は、通過孔９３及び通過孔９５を通過することになる。通過孔９３、９５の内径は、いずれも、正常な大きさの遊技球は通過させることができる大きさであるが、入賞センサ４５の通過口４５ａよりは小さい。
【００５６】
一方、不正防止部材８２をレール部材８３における反対側にスライドさせると、図１３（ｂ）に示すように、不正防止部材８２のうち、横板９１を除く部分は、遊技球通路４３から取り外された状態となる。
【００５７】
本実施形態の遊技機１は、遊技球通路４３において、入賞センサ４５よりも上流側に、不正防止部材８２を備えている。不正防止部材８２の通過孔９３、９５における内径は、入賞センサ４５の通過口４５ａにおける内径より小さいので、デカ玉を入賞口４１へ入賞させると、そのデカ玉は、入賞センサ４５の通過口４５ａへ到達する前に、不正防止部材８２の通過孔９３、９５で引っかかる。その結果、デカ玉が入賞センサ４５に到達しないので、デカ玉を利用した不正行為（入賞センサ４５に引っかかったデカ玉に電磁波を照射し、入賞センサ４５の誤認識を生じさせる）を防止できる。
【００５８】
また、不正防止部材８２は、レール部材８３に沿ってスライドさせるだけで、遊技球通路４３から取り外すことができる。不正防止部材８２の通過孔９３、９５にデカ玉が引っかかったときは、上記のように不正防止部材８２を遊技球通路４３から取り外せば、遊技球通路４３の切欠部６７からデカ玉を取り出すことができる。
【００５９】
尚、本発明は前記実施例になんら限定されるものではなく、本発明を逸脱しない範囲において種々の態様で実施しうることはいうまでもない。
例えば、前記各実施の形態の遊技機１は、不正防止部材に引っかかったデカ玉を検出するセンサと、デカ玉の検出を報知する手段（例えば、ランプ等の視覚による報知手段、音声による報知手段等）を備えていてもよい。
【００６０】
また、前記各実施の形態において、不正防止部材は、それに引っかかった遊技球を検出するセンサの機能を備えていてもよい。
また、前記各実施の形態の遊技機１において、不正防止部材（不正防止部）は入賞口４１の入口付近に設けられていてもよい。
【００６１】
また、前記第８、第９の実施の形態において、不正防止部材５１、８２における基板５５、８５の一端を、遊技機１内部の図示しない支持板に、回動軸を介して回動可能に取り付けてもよい。この場合、不正防止部材５１、８２は、回動における一方の側に移動すると、遊技球通路４３に取り付けられた状態となり、回動における反対側に移動すると、遊技球通路４３から取り外された状態となる。
【００６２】
また、前記各実施の形態において、遊技球通路４３のうち、不正防止部材（不正防止部）よりも上流側の部分に、遊技球通路４３を開放できる機構（例えば、遊技球通路４３を構成する壁の一部を取り外せる機構、スライドさせてずらせる機構、扉のように開くことができる機構等）を設けることができる。こうすることにより、遊技球通路４３を開放させた状態で、不正防止部材（不正防止部）で止められたデカ玉を容易に取り出すことができる。
【符号の説明】
【００６３】
１・・・遊技機、３・・・外枠、５・・・内枠、７・・・遊技盤、９・・・ハンドル、
１１・・・上受け皿、１３・・・下受け皿、１７・・・第１の始動口、
１８・・・第２の始動口、１９・・・電動チューリップ、２４・・・特別電動役物、
２５・・・大入賞口、３１・・・第１特別図柄表示装置、３２・・・第２特別図柄表示装置、
３５・・・普通図柄始動ゲート、３７・・・普通図柄表示装置、
３９・・・普通図柄記憶表示装置、４１・・・入賞口、４２・・・時短表示ＬＥＤ、
４３・・・遊技球通路、４３ａ、４３ｂ・・・湾曲部、４３ｃ、４３ｄ・・・不正防止部、
４４・・・窓部、４５・・・入賞センサ、４５ａ・・・通過口、
４７、５１、６５、８２・・・不正防止部材、４７ａ・・・通過孔、４９・・・突起、
５３・・・切欠部、５５・・・基板、５７、５９、６１・・・横板、６３・・・通過孔、
６７・・・切欠部、６９・・・基板、７１、７３、７５・・・横板、
７１ａ、８７ａ・・・切欠、７７、７９・・・通過孔、８１、８３・・・レール部材、
８５・・・基板、８７、８９、９１・・・横板、９３、９５・・・通過孔
【図１】
0005716359.tif 000002
【図２】
0005716359.tif 000003
【図３】
0005716359.tif 000004
【図４】
0005716359.tif 000005
【図５】
0005716359.tif 000006
【図６】
0005716359.tif 000007
【図７】
0005716359.tif 000008
【図８】
0005716359.tif 000009
【図９】
0005716359.tif 000010
【図１０】
0005716359.tif 000011
【図１１】
0005716359.tif 000012
【図１２】
0005716359.tif 000013
【図１３】
0005716359.tif 000014